(57)【特許請求の範囲】
【請求項１】
転送速度が異なる複数のゾーンに区分された記録媒体に情報を記録または再生する際に必要なクロックを発生する装置であって、
上記情報を記録または再生するゾーンから抽出されたクロック発生用信号を、該ゾーンに固有の基準周波数を用いて、各ゾーンに固有の基準周波数とは異なり且つ各ゾーンから抽出されるクロック発生用信号に共通する特定の周波数帯域に周波数変換する第１の周波数変換手段と、
上記特定の周波数帯域における狭帯域の周波数成分を通過させるフィルタと、上記フィルタを通過した周波数成分を再び上記抽出したクロック発生用信号の周波数帯域に周波数変換する第２の周波数変換手段と、
上記第２周波数変換手段により変換されたクロック発生用信号が入力されて記録または再生用クロックを発生するＰＬＬ回路とを備えたクロック発生装置。
【請求項２】
上記第１の周波数変換手段が、可変周波数発振器と、固定周波数発振器と、可変周波数発振器及び固定周波数発振器からの周波数信号を混合する第１ミキサーと、第１ミキサーからの出力信号を上記ゾーンから抽出されたクロック発生用信号に混合する第２ミキサーとから構成され、
上記フィルタがバンドパスフィルタであり、
上記第２の周波数変換手段が、上記可変周波数発振器と、上記固定周波数発振器と、上記第１ミキサーと、第１ミキサーからの出力信号を上記バンドパスフィルタを通過した信号に混合する第３ミキサーとから構成されることを特徴とする請求項１に記載のクロック発生装置。
【請求項３】
さらに上記第３ミキサーと上記ＰＬＬ回路の間にローパスフィルタを備えることを特徴とする請求項２に記載のクロック発生装置。
【請求項４】
上記フィルタは、通過周波数に対する位相の遅延量が実質的に一定になるように設計されたＳＡＷフィルタであることを特徴とする請求項１〜３のいずれか一項に記載のクロック発生装置。
【請求項５】
請求項１に記載のクロック発生装置を備え、転送速度が異なる複数のゾーンに区分された記録媒体に情報を記録または再生する装置。
【請求項６】
転送速度が異なる複数のゾーンに区分された記録媒体に情報を記録または再生する際に必要なクロックを発生する方法であって、
上記情報を記録または再生するゾーンからクロック発生用信号を抽出し、
上記抽出されたクロック発生用信号を、上記ゾーンに固有の基準周波数を用いて、各ゾーンに固有の基準周波数帯域とは異なり且つ各ゾーンから抽出されるクロック発生用信号に共通する特定の周波数帯域に周波数変換し、
該特定の周波数帯域にて狭帯域の周波数成分のみを取り出し、
上記取り出した狭帯域の周波数成分を上記抽出したクロック発生用信号の周波数帯域に再び周波数変換し、
当該再び周波数変換された信号を用いて上記情報を記録または再生するためのクロックを発生させるクロック発生方法。
【請求項７】
ｎ個のゾーンを有するＺＣＡＶ方式の記録媒体の記録又は再生を行うｉ番目（ｉ＝１〜ｎ）のゾーンからｆ（ｉ）＋Δｆ（ｉ）で表されるクロック発生用信号抽出し、ここで、ｆ（ｉ）及びΔｆ（ｉ）はそれぞれｉ番目のゾーンに固有の基準周波数及び該基準周波数からの誤差信号周波数を示し、
抽出したクロック発生用信号ｆ（ｉ）＋Δｆ（ｉ）を、各ゾーンに固有の基準周波数ｆ（ｉ）とは異なる周波数帯域にある一定の周波数Ｆ０とｆ（ｉ）との差（Ｆ０−ｆ（ｉ））と混合してＦ０＋Δｆ（ｉ）周波数成分を含む信号を得、
Ｆ０＋Δｆ（ｉ）成分を通過させる狭帯域フィルタを用いてＦ０＋Δｆ（ｉ）成分を取り出し、
取り出されたＦ０＋Δｆ（ｉ）成分に再び上記差（Ｆ０−ｆ（ｉ））信号を混合して、混合信号からノイズ除去されたΔｆ（ｉ）＋ｆ（ｉ）成分を得ることを特徴とする請求項６に記載のクロック発生方法。
【請求項８】
上記再び周波数変換された信号をＰＬＬ回路に入力することによって情報を記録または再生するためのクロックを発生させる請求項６に記載のクロック発生方法。
【請求項９】
上記狭帯域フィルタとして、通過周波数に対する位相の遅延量が実質的に一定になるように設計されたＳＡＷフィルタを用いることを特徴とする請求項７に記載のクロック発生方法。
【請求項１０】
請求項６に記載の方法で発生した記録または再生用クロックを用いて記録媒体に情報を記録または再生する方法。
【請求項１１】
上記記録媒体が、ＺＣＡＶ方式のセクタフォーマットを有し且つ各ゾーンに固有のクロック発生用の基準周波数が正弦波で埋め込まれている光磁気記録媒体であることを特徴とする請求項１０に記載の方法。
【発明の詳細な説明】
【０００１】
【発明の属する技術分野】
本発明は、転送速度が異なる複数のゾーンに区分された記録媒体を記録または再生する際に必要なクロックを発生するクロック発生装置及びそれを含む記録媒体用の記録再生装置、並びにクロック発生方法及びそれを用いた記録媒体用の記録再生方法に関する。
【０００２】
【従来の技術】
コンパクトディスク（ＣＤ）や光磁気ディスク（ＭＯ）等の光記録媒体に記録された情報（記録符号）を再生するためには、記録符号と同期するクロック信号を発生させる必要がある。クロック信号を発生させる方法として、外部クロック方式と内部クロック方式とが知られている。外部クロック方式は、例えば、記録媒体のトラック中心を挟んで凹凸形状の一対のウォルブルピットをトラック方向に沿って一定間隔で形成し、かかるウォルブルピットからの反射光信号を検出し、検出されたピットの繰り返し周波数を基準にしてクロック信号を発生させる方法である。また、外部クロック方式の別の例として、基準周波数を正弦波で埋め込み記録する方法も用いられている。この方式は、例えば、ランド部と溝部との境界をウォルブル状に形成しランド部及び溝部のいずれにも記録マークを形成するタイプの光記録媒体で用いられており、ウォルブル溝のうねり周期にクロック発生用信号が含まれている。この方式では、バンドパスフィルタを用いてトラッキングエラー信号からクロック発生用信号が分離されて、それをＰＬＬ（フェーズ・ロックド・ループ）回路に入力されることによって記録再生用のクロック信号が発生する。
【０００３】
ところで、記録フォーマットのセクタの配置法には、トラック半径に反比例した回転速度になるようにスピンドルモータを制御して、記録再生するトラックの線速がディスク上のどこでも一定になるようにするＣＬＶ（Constant Linear Velocity）方式と、スピンドルモータの回転と記録・再生周波数が一定でよいＣＡＶ（Constant Angular Velocity ）方式が用いられている。ＣＬＶ方式ではＣＡＶ方式に比べて約１．５倍以上記憶容量を上げることができるが、高速アクセス、高速転送が要求される書換え型光記録媒体に不向きである。このため、回転数は一定にするが、複数のトラックから構成されるゾーンによってディスク全体を分割し（図３参照）、同一ゾーン内では同一転送速度になるように記録マークが記録されるＺＣＡＶ（Zoned Constant Angular Velocity ）方式が用いられるようになった。
【０００４】
【発明が解決しようとする課題】
上記基準信号を正弦波で記録トラックに埋め込む方式を採用する記録媒体を、ＺＣＡＶ方式で再生しようとすると、ディスクの内周側のゾーンと外周側のゾーンとでは転送速度が異なるために、ウォルブル溝のうねりから再生されるクロック発生用信号の周波数も異なってくる。このため、各ゾーンに応じたバンドパスフィルタを用いてクロック発生用信号を取り出す必要が生じる。特に、近年のディスクは記録容量及び記録密度が増大しているため、これに応じてゾーンが一層細かく分割されており、例えば、数十個のゾーンが区画されている場合には、それに応じた数だけバンドパスフィルタが必要になる。
【０００５】
しかしながら、ゾーン毎にバンドパスフィルタを用いてクロック発生装置を構成することは、クロック発生装置及び記録媒体のドライブの製造コストを増加させるとともに、装置及びドライブを大型化することになる。
【０００６】
また、生成するクロックのジッタを低減するには、入力する再生基準信号のＳ／Ｎを確保するための検出窓を狭めたＰＬＬ制御系を構成する必要がある。これには入力信号帯域を狭めてノイズ成分を抑圧する狭帯域のフィルタを使用すればよいが、Ｑの大きな（通過帯の波形が急峻な）フィルタは中心通過周波数からずれると位相の遅延量が大きく変動するのが一般的である。位相の遅延量が大きくなると、ジッタが悪化するために再生エラーを生じやすくなるという問題がある。特に、前述のように最近の光記録媒体は記録線密度が高いために、各記録符号を検出するための検出窓が極めて狭くなっており、フィルタを介した周波数信号の位相の遅延により再生時のエラーが発生し易くなっている。
【０００７】
本発明の第１の目的は、上記従来技術の問題を解決し、ＺＣＡＶ方式の記録媒体を再生する際にゾーン毎にバンドパスフィルタを用いることなくクロック信号を発生させることができるクロック発生方法及びクロック発生装置を提供することにある。
【０００８】
本発明の第２の目的は、上記従来技術の問題を解決し、本発明のクロック発生方法及びクロック発生装置を用いた記録媒体用の記録または再生方法並びに記録または再生装置を提供することにある。
【０００９】
さらに本発明の第３の目的は、ＺＣＡＶ方式の記録媒体を再生する際にゾーン毎にバンドパスフィルタを用いることなくクロック信号を発生させることができ、しかも、Ｓ／Ｎに優れ且つ位相の遅延量の少ないクロック信号を発生させるクロック発生方法及びクロック発生装置を提供することにある。
【００１０】
さらに本発明の第４の目的は、上記本発明の第３の目的を達成する本発明の  クロック発生方法及びクロック発生装置を用いた記録媒体用の記録または再生方法並びに記録または再生装置を提供することにある。
【００１１】
【課題を解決するための手段】
本発明の第１の態様に従えば、転送速度が異なる複数のゾーンに区分された記録媒体に情報を記録または再生する際に必要なクロックを発生する装置であって、
上記情報を記録または再生するゾーンから抽出されたクロック発生用信号を、該ゾーンに固有の基準周波数を用いて、各ゾーンに固有の基準周波数とは異なり且つ各ゾーンから抽出されるクロック発生用信号に共通する特定の周波数帯域に周波数変換する第１の周波数変換手段と、
上記特定の周波数帯域における狭帯域の周波数成分を通過させるフィルタと、上記フィルタを通過した周波数成分を再び上記抽出したクロック発生用信号の周波数帯域に周波数変換する第２の周波数変換手段と、
上記第２周波数変換手段により変換されたクロック発生用信号が入力されて記録または再生用クロックを発生するＰＬＬ回路とを備えたクロック発生装置が提供される。
【００１２】
転送速度が異なる複数のゾーンに区分された記録媒体に情報を記録または再生するときに、ｉ番目のゾーンから抽出されたクロック発生用信号は、当該ゾーンに固有の基準周波数ｆ(i) （既知の周波数）及びそれに対する誤差信号周波数Δｆ(i) の和ｆ(i) ＋Δｆ(i) として表すことができる。本発明のクロック発生装置は、ｉ番目のゾーンから抽出されたクロック発生用信号ｆ(i) ＋Δｆ(i) を、当該ゾーンに固有の基準周波数ｆ(i) を用いて、各ゾーンに固有の基準周波数ｆ(1),ｆ(2) ・・ｆ(n) とは異なり且つ各ゾーンから抽出されるクロック発生信号に共通する特定の周波数帯域Ｆ0 に周波数変換する第１の周波数変換手段する。この第１周波数変換手段により周波数変換された信号は、例えば、Ｆ0 ＋Δｆ(i) 成分を有し、このＦ0 ＋Δｆ(i) 成分はｉの値に関わらず狭い周波数帯域に存在するため、共通の狭帯域フィルタを用いてノイズ除去することができる。ノイズ除去されたＦ0 ＋Δｆ(i) 成分は、第２の周波数変換手段により再びもとのクロック発生用信号の周波数帯域に戻され、次いでＰＬＬ回路を用いて記録または再生用クロックを発生させることができる。従って、本発明のクロック発生装置では、各ゾーンから抽出されたクロック発生用信号のＳ／Ｎを向上するためのバンドパスフィルタは一つで足り、各ゾーンに固有の基準周波数帯域を通過させる複数のバンドパスフィルタは不要となる。
【００１３】
上記第１の周波数変換手段は、可変周波数発振器と、固定周波数発振器と、可変周波数発振器及び固定周波数発振器からの周波数信号を混合する第１ミキサーと、第１ミキサーからの出力信号を上記ゾーンから抽出されたクロック発生用信号に混合する第２ミキサーとから構成することができ、上記フィルタはバンドパスフィルタにすることができ、上記第２の周波数変換手段は、上記可変周波数発振器と、上記固定周波数発振器と、上記第１ミキサーと、第１ミキサーからの出力信号を上記バンドパスフィルタを通過した信号に混合する第３ミキサーとから構成することができる。さらに、第３ミキサーと上記ＰＬＬ回路との間にローパスフィルタを接続して、第３ミキサーから発生した不要な周波数帯域を除去することができる。
【００１４】
上記フィルタは、位相の遅延量が通過周波数に対して実質的に一定になるように設計されたＳＡＷフィルタであることが好ましい。かかるＳＡＷフィルタを用いることにより、位相の遅延によるジッタの悪化を抑え、情報の記録または再生時のエラーの発生を防止することができる。
【００１５】
本発明の第２の態様に従えば、本発明のクロック発生装置を備え、転送速度が異なる複数のゾーンに区分された記録媒体を記録または再生する装置が提供される。本発明の記録または再生装置は、転送速度が異なる複数のゾーンを持つ記録媒体を記録または再生する際に、各ゾーンから抽出されるクロック発生用信号のＳ／Ｎを向上させるためのバンドパスフィルタをゾーン毎に設ける必要がないため、信号処理系を簡単な構成にすることができる。このため、本発明の記録または再生装置は、ＺＣＡＶ方式の光磁気記録媒体等の光記録媒体の記録及び再生に有効であり、特に、ゾーン数が多くなる高密度記録媒体の記録または再生に好適である。
【００１６】
本発明の第３の態様に従えば、転送速度がゾーン毎に異なる複数のゾーンに区分された記録媒体に情報を記録または再生する際に必要なクロックを発生する方法であって、
上記情報を記録または再生するゾーンからクロック発生用信号を抽出し、
上記抽出されたクロック発生用信号を、上記ゾーンに固有の基準周波数を用いて、各ゾーンに固有の基準周波数帯域とは異なり且つ各ゾーンから抽出されるクロック発生用信号に共通する特定の周波数帯域に周波数変換し、
該特定の周波数帯域にて狭帯域の周波数成分のみを取り出し、
上記取り出した狭帯域の周波数成分を上記抽出したクロック発生用信号の周波数帯域に再び周波数変換し、
当該再び周波数変換された信号を用いて上記情報を記録または再生するためのクロックを発生させるクロック発生方法が提供される。
【００１７】
本発明のクロック発生方法では、ＺＣＡＶ方式等の記録媒体の各ゾーンから抽出されるクロック発生用信号を、一旦、各ゾーンに固有の基準周波数帯域とは異なり且つ各ゾーンから抽出されるクロック発生用信号に共通する特定の周波数帯域Ｆ0 に周波数変換する。すなわち、周波数変換する際に、当該記録または再生が行われるゾーンの基準周波数f(i)を用いて、変換後の周波数が例えばＦ0 −Δf(i)のように基準周波数f(i)に依存せず且つ狭い周波数領域になるように周波数変換する。ここで、Δf(i)は前述のように各ゾーンに固有の基準周波数f(i)からのずれΔf(i)を表す。周波数変換された後の信号Ｆ0 −Δf(i)は、ゾーン番号ｉに拘らず狭帯域に存在するため、単一の狭帯域バンドパスフィルタを用いてノイズ除去することができる。そして、ノイズが除去されたＦ0 −Δf(i)成分を再び元のクロック発生信号の周波数帯域に戻し、これをＰＬＬ回路等に入力することによって記録または再生用のクロックを発生させることができる。
【００１８】
より具体的には、本発明のクロック発生方法において、ｎ個のゾーンを有するＺＣＡＶ方式の記録媒体の記録又は再生を行うｉ番目（ｉ＝１〜ｎ）のゾーンからｆ（ｉ）＋Δｆ（ｉ）で表されるクロック発生用信号抽出し、ここで、ｆ（ｉ）及びΔｆ（ｉ）はそれぞれｉ番目のゾーンに固有の基準周波数及び該基準周波数からの誤差信号周波数を示し、抽出したクロック発生用信号ｆ（ｉ）＋Δｆ（ｉ）を、各ゾーンに固有の基準周波数ｆ（ｉ）とは異なる周波数帯域にある一定の周波数Ｆ０とｆ（ｉ）との差（Ｆ０−ｆ（ｉ））と混合してＦ０＋Δｆ（ｉ）周波数成分を含む信号を得、Ｆ０＋Δｆ（ｉ）成分を通過させる狭帯域フィルタを用いてＦ０＋Δｆ（ｉ）成分を取り出し、取り出されたＦ０＋Δｆ（ｉ）成分に再び上記差（Ｆ０−ｆ（ｉ））信号を混合して、混合された信号からノイズ除去されたΔｆ（ｉ）＋ｆ（ｉ）成分を得、次いで、Δｆ（ｉ）＋ｆ（ｉ）成分をＰＬＬ回路等に入力すればよい。
【００１９】
上記狭帯域フィルタとして、通過周波数に対して位相の遅延量が実質的に一定になるように設計されたＳＡＷフィルタを用いることが好ましい。かかるＳＡＷフィルタを用いることにより、位相の遅延によるジッタの悪化を抑え、記録または再生時のエラー信号の発生を防止することができる。
【００２０】
本発明の第４の態様に従えば、本発明のクロック発生方法で発生した記録または再生クロックを用いて記録媒体に情報を記録または再生する方法が提供される。この方法によれば、ゾーン毎の基準周波数をそれぞれ通過させる複数のバンドパスフィルタを用いてノイズ除去する必要がないため、記録再生装置の信号処理系を簡単にすることができる。このため、ＺＣＡＶ方式の光磁気記録媒体等の光記録媒体の記録及び再生方法、特に、ＺＣＡＶ方式を用いた高密度記録媒体、例えば、光磁界変調方式で記録される光磁気記録媒体、磁気超解像（ＭＳＲ）により再生される光磁気記録媒体、多値情報が記録される多値記録用光磁気記録媒体、ランドグルーブ型の光磁気記録媒体等の記録または再生に好適である。
【００２１】
【発明の実施の形態】
以下に、本発明のクロック発生装置及び記録媒体を記録または再生する装置の実施の形態及び具体例を図面を参照しながら詳細に説明するが、本発明はそれらに限定されるものではない。
【００２２】
以下に説明する本発明のクロック発生装置及びそれを含む記録再生装置の具体例では、基準信号を正弦波にて記録トラックに埋め込む方式を用いたランドグルーブ型の光磁気ディスクを用いる。この光磁気ディスクでは、ランド部とグルーブ部の境界がウォブル形状に形成されており、ランド部及びグルーブ部のいずれにも記録マークが記録される。ウォブル形状の境界部（溝）からプッシュプル方式でトラッキングエラー信号が検出され、狭帯域のバンドパスフィルタを通じてコード変調されたクロック生成用の信号が取り出される。この光磁気ディスクは、ＺＣＡＶ方式のセクタフォーマットを有しており、半径方向内側からｎ個のゾーンに区分されている。図３に１０個のゾーンに区分された光磁気ディスク１の平面図を例示する。ＺＣＡＶ方式のディスクではゾーンごとに記録再生速度が異なるため、クロック周波数も異なる。各ゾーンｉ（ｉ＝１〜ｎ）の半径方向の外周側位置ｒ（ｉ）及びクロック信号発生のための基準周波数ｆ（ｉ）並びに記録及び再生のためのクロック周波数Ｆ（ｉ）の関係を図４のテーブルに示す。このようにＺＣＡＶ方式の記録媒体はゾーン毎にクロック信号発生のための基準周波数ｆ（ｉ）が異なるために、それぞれの周波数に応じたバンドパスフィルタを用いてノイズを除去する必要があった。
【００２３】
〔クロック発生装置の第１具体例〕
図１のブロック図を用いて本発明のクロック発生装置１の構成を説明する。図１に示した本発明のクロック発生装置１は、狭帯域フィルタ部１０とＰＬＬ回路３０とから構成される。狭帯域フィルタ部１０は、光磁気ディスクの各ゾーンｉ（ｉ＝１〜ｎ）に応じた基準周波数ｆ(i) を発生するＰＬＬ回路１２と、周波数変換のための第２周波数７０ＭＨｚを発生する固定周波数発振器１４と、（７０ＭＨｚ＋入力誤差成分Δｆi ）の帯域周波数のみを通過させるＳＡＷ（表面弾性波）フィルター２０と、ローパスフィルタ（ＬＰＦ）２２と、３つのミキサー１６，１７，１８とから主に構成されている。
【００２４】
記録または再生時にトラッキングエラー信号からバンドパスフィルタ（図示しない）を通じて分離されたクロック生成用信号（再生信号）はｆ（ｉ）＋Δｆ（ｉ）として表すことができる。ここで、ｆ（ｉ）は前述のようにゾーンｉのクロック信号発生のためのゾーンｉに固有の基準周波数であり、Δｆ（ｉ）はディスクの回転速度のゆれ等により生じた誤差信号成分を表す。クロック生成用信号ｆ（ｉ）＋Δｆ（ｉ）はクロック発生装置１に入力される。図１には、光磁気ディスクを再生する光ヘッドがｉ＝１のゾーンを再生している場合を示しており、再生信号ｆ（１）＋Δｆ（１）（例えば、ｆ（１）＝２００ＭＨｚ、Δｆ（１）＝０．２ＭＨｚ）がクロック発生装置１に入力されている。ＰＬＬ１２には、光磁気ディスクを再生する記録再生装置（図５参照）のコントローラ３２からゾーン情報（ｉ＝１）が入力されて、それに応じてｉ＝１の基準周波数ｆ（１）が発生する。
【００２５】
ＰＬＬ１２は、例えば、位相比較器、ループフィルタ（ＬＰＦ）及び電圧制御発振器（ＶＣＯ）（いずれも図示しない）から構成することができ、電圧制御発振器からゾーン情報に応じた周波数信号ｆ（ｉ）を発生することにより可変周波数発振器としての機能する。
【００２６】
ミキサー１６では、発振器１４から発生した７０ＭＨｚの一定周波数信号と基準周波数ｆ（１）との差周波数信号７０ＭＨｚ−ｆ（１）を発生させる。この差周波数信号７０ＭＨｚ−ｆ（１）は、クロック発生回路１０に入力されたｆ（１）＋Δｆ（１）とミキサー１７にて混合される。
【００２７】
混合された周波数信号は、ＳＡＷフィルタ２０によって７０ＭＨｚ＋Δｆ（１）成分が取り出される。ＳＡＷフィルタ２０は、７０ＭＨｚ＋Δｆ（ｉ）（ｉ＝１〜ｎ）の狭帯域成分のみを通過させるとともに、群遅延が一定になるように設計されている。ＳＡＷフィルタは超音波の伝播時間に合わせて電極位置を調整することによってフィルタ特性を設計することができ、フィルタの減衰特性と遅延特性を分離して調整することができる。ここで用いたＳＡＷフィルタ２０は、この特性を用いており、Ｑが大きいが、遅延量がおよそ±１ｎｓ以下になるように設計されている。
【００２８】
ＳＡＷフィルタ２０を通過した信号は、ミキサー１８でミキサー１６から出力された差周波数信号（７０ＭＨｚ−ｆ（１））と再度混合される。次いで、ローパスフィルタ２２を通過することにより、ノイズ成分が有効に除去されたｆ（１）＋Δｆ（１）が得られる。得られたｆ（１）＋Δｆ（１）信号は、ＰＬＬ回路３０に入力されて記録・再生用クロック信号を発生させる。
【００２９】
上記のような構成のクロック発生装置１の動作を図２を用いてより詳細に説明する。図２（Ａ）は、ミキサー１６で発生した差周波数信号７０ＭＨｚ−ｆ（１）とクロック発生装置１に入力された信号ｆ（１）＋Δｆ（１）とをミキサー１７で混合した後の周波数スペクトルを示す。入力信号ｆ（１）＋Δｆ（１）は差周波数信号７０ＭＨｚ近傍の帯域に周波数変換される。この結果、周波数スペクトルには、７０ＭＨｚの両側に、差信号成分〔７０ＭＨｚ−ｆ（１）〕−〔ｆ（１）＋Δｆ（１）〕＝７０ＭＨｚ−２ｆ（１）−Δｆ（１）と、和信号成分〔７０ＭＨｚ−ｆ（１）〕＋〔ｆ（１）＋Δｆ（１）〕＝７０ＭＨｚ＋Δｆ（１）が現れる。
【００３０】
図２（Ａ）に示した周波数成分を有する信号がＳＡＷフィルタ２０を通過した後の周波数スペクトルを図２（Ｂ）に示す。ＳＡＷフィルタ２０は７０ＭＨｚ＋Δｆ（ｉ）（ｉ＝１〜ｎ）以外の帯域周波数を除去する特性を有するので、７０ＭＨｚ＋Δｆ（１）成分がＳＡＷフィルタ２０を通過し、他の帯域に存在する成分はノイズ成分を含めて除去される。図２（Ｂ）中、破線で示した領域はＳＡＷフィルタ２０の通過帯域である。
【００３１】
こうしてノイズ成分が除去された７０ＭＨｚ＋Δｆ（１）信号を元の周波数帯域に戻すために、ミキサー１８で７０ＭＨｚ−ｆ（１）信号と混合される。ミキサー１８を通過後の周波数スペクトルを図２（Ｃ）に示す。７０ＭＨｚ＋Δｆ（１）信号の両側に、差信号成分〔７０ＭＨｚ＋Δｆ（１）〕−〔７０ＭＨｚ−ｆ（１）〕＝ｆ（１）＋Δｆ（１）と、和信号成分〔７０ＭＨｚ＋Δｆ（１）〕＋〔７０ＭＨｚ−ｆ（１）〕＝１４０ＭＨｚ−ｆ（１）＋Δｆ（１）が存在する。ここで得られた差信号成分ｆ（１）＋Δｆ（１）はＳＡＷフィルタ２０によりノイズが除去された信号である。
【００３２】
図２（Ｃ）に示す成分を有する信号をＬＰＦ２２を通過させることによって低周波数成分のみが取り出され、図２（Ｄ）に示すようにｆ（１）＋Δｆ（１）が得られる。こうして狭帯域フィルタ部１０に入力されたｆ（１）＋Δｆ（１）がノイズ除去された形でＰＬＬ３０に出力される。なお、図２（Ａ）〜（Ｄ）には説明の都合上、主要な周波数成分のみを示してある。
【００３３】
図１及び図２では、ｉ＝１のゾーンが再生される場合を示したが、ｉ＝２〜ｎの場合も同様の動作が行われる。より一般的には、ｉ番目のゾーンを再生する場合、クロック装置１０にｆ（ｉ）＋Δｆ（ｉ）の再生信号が入力され、ＰＬＬ１２にゾーン番号ｉの情報が入力されるとｆ（ｉ）の基準周波数信号がそこから発生する。ミキサー１６にて差周波数信号７０ＭＨｚ−ｆ（ｉ）が発生し、ミキサー１７で入力信号ｆ（ｉ）＋Δｆ（ｉ）と合成される。次いで、ＳＡＷフィルタ２０でノイズが除去されて７０ＭＨｚ＋Δｆ（ｉ）が取り出された後、ミキサー１８で再度差周波数信号７０ＭＨｚ−ｆ（ｉ）と混合される。最後に、ＬＰＦ２２にてｆ（ｉ）＋Δｆ（ｉ）が取り出される。すなわち、本発明においては、クロック発生装置１への入力信号の周波数帯域がゾーンに応じて異なっても７０ＭＨｚを中心とする狭帯域に周波数変換されて、狭帯域のＳＡＷフィルタで側帯信号を含むノイズ成分が除去されるために、ゾーンの基準周波数毎のバンドパスフィルタは不要になる。
【００３４】
上記の例では発振器１４の周波数として７０ＭＨｚを選択したが、これに限定されず、ミキサー１７で合成された後の和信号または差信号の周波数が他のゾーンの基準周波数ｆ（ｉ）と区別できるような周波数であれば任意の値を採用することができる。
【００３５】
〔クロック発生装置を組み込んだ記録再生装置の構成例〕
図５に、図１に示したクロック発生装置１を用いた光磁気記録再生装置の構成概略図を示す。記録媒体１００として、図３に示したようなＺＣＡＶ方式の光磁気ディスクを使用する。光磁気記録再生装置は、光磁気ディスク１００と、データの記録再生のための光学系を有する光学ヘッドと、この光学ヘッドを駆動してアクセストラックへの追従を行うアクチュエータ系（図示せず）と、光磁気ディスク１００に記録するデータの符号化及び光磁ディスク１００からの信号を検出し復号する信号処理系とを有している。
【００３６】
この光磁気記録再生装置において、光学ヘッドは、図５に示すように、半導体レーザ１２０と、この半導体レーザ１２０からの出射光を光磁気ディスク１００に集光させ、さらに光磁気ディスク１００からの戻り光を光検出器１２８、１２９に供給する光学系と、光検出器１２８、１２９と、光磁気ディスク１００に磁界を印加するための磁気コイル１４３とを有する。信号処理系は、主に、記録系と再生系に大別される。信号処理系は両方の系で共通に使われる回路を含む。
【００３７】
記録系は、図５に示すように外部から供給される入力データ１３９を符号化する符号器１４０と、この符号器１４０からの信号に位相調整を施す位相調整回路１４１と、位相調整回路１４１から磁気コイル１４３に駆動信号を出力させる磁気コイル駆動部１４２と、半導体レーザ１２０にレーザ光を出射させる駆動信号を供給するレーザ駆動回路１３８を含む。
【００３８】
再生系は、光検出器１２８、１２９からの出力電流を電圧に変換するＩ／Ｖ変換器１３０、１３１と、Ｉ／Ｖ変換器１３０、１３１からの出力に基づいてそれぞれ加算と減算を行う加算器１３２、減算器１３５と、加算器１３２の出力からクロック発生用信号を発生する狭帯域フィルタ部１０と、減算器１３５の出力から再生信号を検出する再生信号検出回路１３６と、再生信号検出回路１３６の出力からデータを復号する復号器１３７を含む。さらに、光磁気記録再生装置は、この装置の記録再生動作を規定するクロックを生成するためＰＬＬ回路３０を有する。ＰＬＬ回路３０には、狭帯域フィルタ部１０からの出力信号が供給される。ＰＬＬ回路３０は、この狭帯域フィルタ部１０からの出力信号に基づいて位相の揃ったクロック信号を符号器１４０、復号器１３７、及びレーザ駆動回路１３８にそれぞれ供給する。狭帯域フィルタ部１０及びＰＬＬ回路３０は、クロック発生装置として機能する。
【００３９】
図５に示した光磁気記録再生装置の動作を以下に説明する。光学ヘッド及び磁気ヘッドを光磁気ディスク１００の所定のトラック位置近傍に粗動させて配し、この光磁気ディスク１００が所定の回転数で回転するようになった後、半導体レーザ１２０はレーザ駆動回路１３８からの駆動信号に応じて光磁気ディスク１００にパルスレーザ光を出射する。レーザ駆動回路１３８は、ＰＬＬ回路３０からのクロック信号に応じて駆動信号を出力している。
【００４０】
半導体レーザ１２０から出射した光は光学ヘッドを構成するコリメータレンズ１２１によって平行光にされ、第１の偏光プリズム（以下ＰＢＳという）１２２を通って対物レンズ１２３によって光磁気ディスク１００上に集光される。光磁気ディスク１００からの反射光はＰＢＳ１２２によって第２のＰＢＳ１２５の方向に向けられ、１／２波長板１２４を透過した後、ＰＢＳ１２５で２方向に分割される。分割された光はそれぞれ検出レンズ１２６、１２７で集光されて光検出器１２８、１２９に導かれる。光検出器１２８、１２９は、光磁気ディスク１００からの戻り光を電流に変換してＩ／Ｖ変換器１３０、１３１にそれぞれ出力する。Ｉ／Ｖ変換器１３０、１３１は、供給された電流を電圧に変換している。Ｉ／Ｖ変換器１３０は、加算器１３２の一端側と減算器１３５の反転端子側に出力信号を出力する。また、Ｉ／Ｖ変換器１３１は、加算器１３２の他端側と減算器１３５の非反転端子側に出力信号を出力する。
【００４１】
ここで、光磁気ディスク１００上にはクロック発生用信号がウォブル溝に予め記録されている。加算器１３２は、ウォブル溝からの反射光からトラッキングエラー信号を発生させ、狭帯域フィルタ部１０に出力する。狭帯域フィルタ部１０は、図１で説明した構成を備え、磁気ディスク１００からの信号に埋め込まれているクロック発生用信号を抽出する。狭帯域フィルタ部１０は、この抽出したクロック発生用信号をＰＬＬ回路３０に供給する。ＰＬＬ回路３０は、このクロック発生用信号に基づいてデータチャネルクロックを生成する。ＰＬＬ回路３０は、データチャンネルクロックをクロック信号として前述したレーザ駆動回路１３８に供給するとともに、符号器１４０及び復号器１３８にもそれぞれ供給している。また、減算器１３５は、図示しないが差信号をアクチュエータ制御系に供給している。アクチュエータ制御系は、この差信号に基づいて光学ヘッド及び磁気ヘッドを所定のトラックに配するよう微妙なトラッキング制御を行っている。
【００４２】
このようなトラッキング制御を受けながら、光磁気ディスク１００には、入力信号の記録及び再生が行われる。記録時において、入力端子１３９を介して供給される入力信号は、符号器１４０に供給される。符号器１４０は、入力データ（２値信号系列）を、ＰＬＬ回路３０からのクロック信号に基づいて基準クロック周期の整数倍のデータ信号にする。符号器１４０は、符号化したデータを位相調整回路１４１に出力する。位相調整回路１４１は、位相のずれ等を補償した信号を磁気コイル駆動部１４２に供給する。磁気コイル４３は、磁気コイル駆動信号に応じた極性の記録外部磁界を光磁気ディスク１００のデータ記録領域に印加する。
【００４３】
光磁気記録再生装置は、この磁界印加の直前に、光磁気ディスク１００を挟んで磁気コイル１４３が配設される側の反対側で半導体レーザ１２０からのレーザ光をデータ記録領域に照射するようにトラッキング制御している。そして、半導体レーザ１２０は、レーザ駆動回路１３８によってデータチャネルクロックに同期するように一定周波数で光変調され、幅の狭いパルス光を放射し、回転する光磁気ディスク１００のデータ記録領域を等間隔に局部的に加熱している。これにより、データ記録領域のレーザ光照射部の記録層が記録外部磁界で磁化反転できるキュリー温度まで加熱される。磁気コイル１４３は、磁気コイル駆動部１４２からの駆動信号に基づいて生成する磁界を加熱部分に印加すると、光磁気ディスク１００の記録層に記録マークを形成させる。
【００４４】
再生時、光磁気記録再生装置は、半導体レーザ１２０から一定強度のレーザ光を光磁気ディスク１００に照射する。光磁気ディスク１００は、光磁気ディスク１００で反射した戻り光を光学ヘッドに戻す。この戻り光は、記録層の記録マークの有無を反映している。戻り光は光学ヘッド内の光学素子を介して各光検出器１２８、１２９に送られる。Ｉ／Ｖ変換器１３０、１３１からの出力は加算器１３２と減算器１３５にそれぞれ送られる。再生時に、減算器１３５は、差信号を再生信号検出回路１３６に出力する。再生信号検出回路１３６は、この差信号から再生信号を検出する。この再生信号は復号器１３７に送られる。復号器１３７は、ＰＬＬ回路３０からのクロック信号に応じてデータの復号を行い、復号した出力データを出力端子１４４を介して出力する。
【００４５】
図５に示した光磁気記録再生装置の狭帯域フィルタ部１０及びＰＬＬ回路３０は、図１に示したような本発明に従うクロック発生装置として機能し、光磁気ディスク１００のゾーン基準周波数毎のバンドパスフィルタを用いる必要がないため、信号処理系及び装置全体を小型化することができ、製造コストを低減することができる。
【００４６】
〔クロック発生装置の第２具体例〕
第１具体例で説明したクロック発生装置は、狭帯域フィルタ部１０でノイズ除去された信号ｆ（ｉ）＋Δｆ（ｉ）をクロック発生用のＰＬＬ回路３０に入力するように構成したが、この具体例ではＰＬＬ回路ループの中に狭帯域フィルタ部を含むクロック発生装置の構成例を説明する。すなわち、この具体例では、転送速度が異なる複数のゾーンに区分された記録媒体に情報を記録または再生する際に必要なクロックを発生する装置であって、上記情報を記録または再生するゾーンから抽出されたクロック発生用信号を、該ゾーンに固有の基準周波数を用いて、各ゾーンに固有の基準周波数とは異なり且つ各ゾーンから抽出されるクロック発生用信号に共通する特定の周波数帯域に周波数変換する第１の周波数変換手段と、上記特定の周波数帯域における狭帯域の周波数成分を通過させるフィルタと、上記フィルタを通過した周波数成分を再び上記抽出したクロック発生用信号の周波数帯域に周波数変換する第２の周波数変換手段と、記録または再生用クロックを発生するＰＬＬ回路とを備え、上記第１周波数変換手段、上記フィルタ及び上記第２周波数変換手段が該ＰＬＬ回路のフェーズ・ロックド・ループ内に組み込まれ、さらに該フェーズ・ロックド・ループの帰還信号からノイズ除去された記録または再生用クロックを取り出す手段とを備えるクロック発生装置を示す。
【００４７】
このクロック発生装置により、転送速度が異なる複数のゾーンに区分された記録媒体に情報を記録または再生する際に必要なクロックを発生する方法であって、上記情報を記録または再生するゾーンからクロック発生用信号を抽出し、上記抽出されたクロック発生用信号を上記ゾーンに固有の基準周波数を用いて各ゾーンに固有の基準周波数帯域とは異なり且つ各ゾーンから抽出されるクロック発生用信号に共通する特定の周波数帯域に周波数変換し、該特定の周波数帯域にて狭帯域の周波数成分のみを取り出し、上記取り出した狭帯域の周波数成分を上記抽出したクロック発生用信号の周波数帯域に再び周波数変換し、当該再び周波数変換された信号を上記ゾーンに固有の基準周波数信号と位相比較して位相差に基づいて上記周波数変換のための周波数を調整した後、該周波数変換のための帰還信号とし、該帰還信号からノイズ除去された記録または再生用のクロック信号を取り出すクロック発生方法が実行される。
【００４８】
図６に示したクロック発生装置２には、第１具体例と同様に、基準信号を正弦波にて記録トラックに埋め込む方式を用いたランドグルーブ型の光磁気ディスクから再生されたクロック発生用信号ｆ（ｉ）＋Δｆ（ｉ）が入力されるものとする。
【００４９】
図６に示したクロック発生装置２は、位相比較器４２、ループフィルタ４４及び電圧制御発振器（ＶＣＯ）４６から構成されるＰＬＬ回路のループ内にバンドパスフィルタ４０、二つのミキサー１７，１８及びローパスフィルタ２２を有する。バンドパスフィルタ４０は、７０ＭＨｚ近傍の狭帯域の周波数成分を通過させるフィルタである。バンドパスフィルタ４０の中心周波数が常に７０ＭＨｚに設定されたものを用いることもできる。この場合、フィルタを通過する周波数は固定され、フィルタ通過による位相の遅延量も固定されるため、安定動作が期待できる。
【００５０】
位相比較器４２には基準信号発生器５０が接続されており、基準信号発生器５０はコントローラ３２からのゾーン情報（ゾーン番号）を受けて各ゾーンに固有の基準周波数ｆ(i) （ｉ＝１〜ｎ）を発生させて位相比較器４２に入力させる。このクロック発生装置２は、さらに、固定周波数発振器（７０ＭＨｚ）１４及びこの発振器１４の出力と電圧制御発振器４６の出力を混合するミキサー４８を備える。また、電圧制御発振器４６には、その出力信号の位相を調整するための遅延補正設定器５２が接続されている。これはバンドパスフィルタ４０の通過周波数における位相の遅延量が周波数に依存していることを利用したものであり、遅延補正設定器５２で与えられるオフセット周波数で通過周波数は変わるが、最終的に出力信号となるｆ(1) ＋Δｆ(1) のミキサー４８の出力には周波数的影響を与えない。
【００５１】
このクロック発生装置２の動作を以下に説明する。クロック発生装置２には、ゾーンｉ＝１から再生されたウォブリング信号成分を検出しているトッキングエラー信号から抽出したｆ（１）＋Δｆ（１）が入力されるものとする。基準信号発生器５０には、コントローラ３２からのゾーン情報（ｉ＝１）が入力されて、基準信号ｆ（１）が発生される。最初に、クロック発生装置２に入力された信号ｆ（１）＋Δｆ（１）は、電圧制御発振器４６の出力である７０ＭＨｚ−ｆ（１）とミキサー１７にて混合され、和信号である７０ＭＨｚ＋Δｆ（１）を含む信号をバンドパスフィルタ４０に出力する。バンドパスフィルタ４０では７０ＭＨｚ＋Δｆ（１）以外の周波数帯域の信号が除去される。バンドパスフィルタ４０を通過した７０ＭＨｚ＋Δｆ（１）成分は、ミキサー１８にて再び電圧制御発振器４６の出力である７０ＭＨｚ−ｆ（１）と混合される。混合の結果生成した周波数成分のうち差成分であるｆ（１）＋Δｆ（１）成分がローパスフィルタ２２により取り出され、位相比較器４２に入力される。位相比較器４２では、基準信号ｆ（１）とｆ（１）＋Δｆ（１）との位相差を検出し、位相誤差信号としてループフィルタ４４に出力する。位相誤差信号は、ループフィルタ４４にて高周波ノイズが除去された後、電圧制御発振器４６に入力されて、位相差に応じた分だけ発振器の周波数を調節し、７０ＭＨｚ−（ｆ（１）＋Δｆ（１））を発生する。
【００５２】
電圧制御発振器４６から出力された７０ＭＨｚ−（ｆ（１）＋Δｆ（１））はミキサー４８に送られ、固定周波数発振器１４から発生する７０ＭＨｚと混合された後、ｆ（１）＋Δｆ（１）信号を発生する。こうしてノイズ除去されたクロック信号ｆ（１）＋Δｆ（１）が得られる。電圧制御発振器４６では帰還信号として７０−ｆ（１）＋Δｆ（１）をミキサー１７に出力するために、すなわち、閉ＰＬＬループ内においては電圧制御発振器４６の出力にΔｆ（１）成分を含んでしまうため、その結果としてバンドパスフィルタ４０はΔｆ（１）を含まない７０ＭＨｚの信号を通過させることになる。それゆえ、バンドパスフィルタ４０を通る信号の位相遅延量は固定される。なお、記録または再生されるゾーン番号がｉ＝１以外の場合も上記と同様な動作にてバンドパスフィルタ４０にてノイズ除去される。
【００５３】
このクロック発生装置２の場合も、このクロック発生装置に入力された信号はミキサー１７にて７０ＭＨｚの帯域に、一旦周波数変換され、バンドパスフィルタ４０にてノイズ除去された後に、ミキサー１８にて再びもとの周波数帯域に戻されるので、各ゾーンに応じた基準周波数帯域用の複数のバンドパスフィルタは不要となる。さらに、このクロック発生装置２は、遅延補正設定器（Freq.Offset ）５２を備えるため、このクロック発生装置２を組み込んだ記録媒体用の記録再生装置からの再生波形とクロック発生装置の出力信号の位相を比較して、電圧制御発振器４６から出力される信号の位相のずれを補正することができる。従って、遅延補正設定器５２を組み込むことによりバンドパスフィルタ４０を通過する際の位相の遅延量を任意に制御できる。この場合、記録再生装置からの再生波形とクロック発生装置の出力信号の位相を比較するための位相遅延量の検出回路をクロック発生装置２内に組み込み、遅延補正設定器と接続することによって自動的に常にバンドパスフィルタ４０の位相遅延量がゼロになるように制御することができる。
【００５４】
なお、遅延量が中心通過周波数近傍で単調に増減するフィルタを用いて意識的に遅延補償を行うことも出来る。例えば７０ＭＨｚを微小に変化させても全体の動作は変化しないが、遅延量だけはＢＰＦのどの位置を通過させるかで変化させることができるので、生成したクロックの位相補正をディジタル的に変化させることができる。ＰＬＬループとは別の制御であり独立した制御系を構成することができる。
【００５５】
上記第２具体例で説明したクロック発生装置２は、図５に示した狭帯域フィルタ部１０及びＰＬＬ回路３０の代わりに光磁気ディスクの記録再生装置に組みこむことができ、これにより具体例１で示したクロック発生装置１と同様に記録再生装置の信号処理系の構成を簡単にすることができる。
【００５６】
以上、本発明のクロック発生装置及び記録媒体用の記録または再生装置の具体例を第１及び第２具体例により具体的に説明してきたが、本発明はこれらの限定されず、それらの種々の変更及び改良を包含するものである。例えば、上記具体例では記録媒体として、ランドグルーブ型の光磁気ディスクを記録再生する場合を説明したが、これに限らず、記録媒体における記録マークが形成される場所は問わず、トラッキング用の案内溝の形状がウォブリングしている記録媒体や、光学的検出手段により検出可能な任意の形状または構造でクロック発生用信号が埋め込まれている記録媒体、例えば、溝の底に形成された段差にクロック発生用信号が埋め込まれている記録媒体等に適用することができる。
【００５７】
上記具体例ではＺＣＡＶ方式のセクタフォーマットを有する記録媒体を対象としたが、第２具体例ではＣＡＶ方式のセクタフォーマットを有する記録媒体に適用することも可能である。また、記録媒体は、データの書換えが可能な光磁気記録媒体やＣＤ−Ｒ等に限らず、再生専用の記録媒体にも本発明が適用可能である。本発明のクロック発生装置は、記録媒体の記録及び再生が可能な装置に組み込むだけでなく、再生専用の記録媒体を再生するための再生装置や、記録のみを行う記録装置に組み込むことができる。
【００５８】
【発明の効果】
本発明のクロック発生装置は、記録媒体の各ゾーンに固有の基準周波数ｆ(i) を用いる第１の周波数変換手段により、各ゾーンから抽出されたクロック発生用信号を特定の狭い周波数帯域に変換することができるため、共通の狭帯域フィルタを用いてノイズを除去することができる。このため、各ゾーンから抽出されたクロック発生用信号のＳ／Ｎを向上するためのフィルタは一つで足り、ゾーン毎に固有の周波数帯域を通過させる複数のバンドパスフィルタは不要となる。従って、クロック発生装置を小型化し且つ製造コストを低減することができる。また、狭帯域フィルタとして位相の遅延量が一定になるように設計されたＳＡＷフィルタを用いれば、位相に遅延によるジッタの悪化を抑え、記録または再生エラーの発生を防止することができる。
【００５９】
本発明の記録媒体を記録または再生する装置は、転送速度が異なる複数のゾーンを持つ記録媒体を記録再生する際に、各ゾーンの基準周波数のＳ／Ｎを向上させるための複数のバンドパスフィルタが不要であるため、信号処理系を簡単な構成にすることができる。このため、本発明の記録または再生装置は、ＺＣＡＶ方式の光磁気記録媒体等の光記録媒体、特に高密度光磁気記録媒体の記録及び再生に好適である。
【００６０】
本発明のクロック発生方法では、ＺＣＡＶ方式等の記録媒体の各ゾーンから抽出されるクロック信号を、一旦、上記ゾーンに固有の基準周波数を用いて特定の周波数領域に周波数変換しているため、変換後の周波数領域はいずれのゾーンから抽出されたクロック信号であろうと狭い帯域に存在することになる。従って、異なるゾーンから由来したにも拘らず、種々の周波数変換されたクロック発生用信号を狭い帯域で取り出すことができ、各ゾーンに固有の複数のバンドパスフィルタは不要となる。このため、本発明のクロック発生方法を用いた記録媒体の記録再生方法は、ＺＣＡＶ方式の光磁気記録媒体等の光記録媒体、特に高密度光磁気記録媒体の記録及び再生に好適である。
【図面の簡単な説明】
【図１】本発明のクロック発生装置の第１具体例の構成を示すブロック図である。
【図２】図２（Ａ）〜（Ｄ）は図１に示したクロック発生装置の動作を示す周波数スペクトルを示す。
【図３】本発明のクロック発生装置を用いて記録・再生が行われるＺＣＡＶ方式の光磁気ディスクの各ゾーンを示す平面図である。
【図４】図３に示したＺＣＡＶ方式の光磁気ディスクのゾーン半径方向位置、基準周波数及びクロック周波数をゾーン毎に表したテーブルである。
【図５】図１に示したクロック発生装置を用いた光磁気記録再生装置の一具体例の概略図である。
【図６】本発明に従うクロック発生装置の第２の具体例を示すブロック図である。
【符号の説明】
１  クロック発生装置
１０  狭帯域フィルタ部
１２，３０  ＰＬＬ
１４  固定周波数発振器
１６，１７，１８  ミキサー
２０  ＳＡＷフィルタ
２２  ローパスフィルタ
４０  バンドパスフィルタ
４２  位相比較器
４４  ループフィルタ
４６  電圧制御発振器
５２  遅延補正設定器
１００  光磁気ディスク
１３２  加算器
１３５  減算器
１４２  磁気コイル駆動部
１４３  磁気コイル
【図１】
0003881743.tif 000002
【図２】
0003881743.tif 000003
【図３】
0003881743.tif 000004
【図４】
0003881743.tif 000005
【図５】
0003881743.tif 000006
【図６】
0003881743.tif 000007